(57)【要約】【課題】患者がうがい水を吐き出した時に、吐き出したうがい水（汚水）がスピットン鉢の外部へ飛び散らないようにするとともに、スピットン内を洗浄する洗浄水がスピットン鉢内面全体に行きわたって流れるようにする。【解決手段】スピットン鉢２０はスピットン装置５の上部基板１０に装着される。スピットン鉢２０の下部はスピットン装置５内の排水管１１と係合してスピットン鉢２０に放出された汚液を排水管１１を通して排出させる。スピットン鉢２０の上部は、前方外周壁と比して後方外周壁が高く形成され、後方外周壁の上部に洗浄水放水管１２を挿通するための孔を有する。【選択図】図１
2007130137.tif 000002
【特許請求の範囲】
【請求項１】
歯科治療ユニットにおけるスピットン装置に着脱自在に装着されるスピットン鉢であって、該スピットン鉢の下部は前記スピットン装置内の排水管と係合して該スピットン鉢に放出された汚液を前記排水管を通して排出させるスピットン鉢において、該スピットン鉢の上部は、前方外周壁と比して後方外周壁が高く形成され、該後方外周壁の上部に洗浄水放水管を挿通するための孔を有することを特徴とする歯科用スピットン鉢。
【請求項２】
前記スピットン鉢の上部は内側に折り返されて前記洗浄水放水管から放出された洗浄水が該スピットン鉢から外部に飛散しないように構成されていることを特徴とする請求項１に記載の歯科用スピットン鉢。
【請求項３】
前記スピットン鉢は、前記孔に対向する位置に所定の間隙をもって前記洗浄水放水管から放出される洗浄水を反射するための反射板を有することを特徴とした請求項１又は２に記載の歯科用スピットン鉢。
【請求項４】
前記反射板は、前記洗浄水放水管より放出された洗浄水を上方に向けて反射するよう上下方向に傾斜して配設されていることを特徴とする請求項３に記載の歯科用スピットン鉢。
【請求項５】
前記反射板は、前記洗浄水放水管より放出された洗浄水を上下方向及び左右方向に向けて反射する凸形の傾斜面を有する四角錐であることを特徴とする請求項３に記載の歯科用スピットン鉢。
【請求項６】
前記反射板の表面は、前記洗浄水放水管より放出された洗浄水を全周方向に向けて反射するように凸形の円錐形状に形成されていることを特徴とする請求項３に記載の歯科用スピットン鉢。
【請求項７】
前記反射板の円錐表面には径方向に向う溝が放射状に形成されていることを特徴とする請求項５又は６に記載の歯科用スピットン鉢。
【発明の詳細な説明】
【技術分野】
【０００１】
本発明は、歯科治療において、患者が口腔内をうがいした、うがい後のうがい水（汚水）を吐き捨てるのに使用する歯科用スピットン鉢の改良に係り、より詳細には、スピットン鉢の後方壁を前方壁に比して高く形成し、これにより、患者がうがい水を吐き出した時に、吐き出したうがい水（汚水）がスピットン鉢の後方から外部に飛び出すことのないようにして、周囲を汚すことのないようにし、更には、スピットン鉢の洗浄をより効果的に行なうことができるようにした歯科用スピットン鉢に関する。
【背景技術】
【０００２】
図５は、本発明が適用されるスピットン鉢を着脱自在に有する歯科ユニットの一例を示す全体構成図で、該歯科治療ユニットは、治療椅子１、ワークテーブル２、インスツルメントホルダ３、各種インスツルメント４、スピットン装置５、スピットン鉢６、スピットン鉢洗浄ノズル７、スピットン装置の上部基板８等から成り、該スピットン装置の上部基板８には、スピットン鉢６を着脱自在に装着させることができるようになっている。インスツルメントホルダ３には、歯科治療において使用する種々のインスツルメント４が収納されており、周知のように、歯科治療に当り、患者は椅子１に座り、頭を安頭台に固定して治療を受ける。治療中、術者は治療椅子１を上下動、倒起動、傾斜動等させて、患者を治療しやすい姿勢にして治療を行い、起動時、患者は、時々、うがいを行う。
【発明の開示】
【発明が解決しようとする課題】
【０００３】
上述のごとき従来の歯科ユニットにおいて、スピットン鉢７は、上部基板８上に着脱自在に載置され、歯科治療時のうがいの際、患者が吐き出したうがい水を受け入れ、受け入れたうがい水（汚水）を下部に設けられた排水口を通して吸引，排出されるようになっているが、患者がうがい水を吐き出した時に、吐き出したうがい水（汚水）がスピットン鉢（ボウル）から跳ね返り、スピットン鉢７から外に飛散してしまうことがあり、不衛生であった。
【０００４】
更には、スピットン鉢洗浄ノズル７から洗浄水を噴射してスピットン鉢６内を洗浄するようにしているが、スピットン鉢６の高さが全周にわたって同じであるため、スピットン鉢洗浄ノズル７をスピットン鉢６の上方に設けても、スピットン鉢６内の上部を全周にわたって洗浄することは困難であった。
【０００５】
本発明は、上述のごとき問題点を解決するためになされたもので、特に、患者が吐き出したうがい水（汚水）が、スピットン鉢の外部へ飛び散らないようにするとともに、スピットン内を洗浄する洗浄水がスピットン鉢内面全体に行きわたって流れるようにして、スピットン鉢の外部周辺部及び内表面部を清潔に保つようにすることを目的としてなされたものである。
【課題を解決するための手段】
【０００６】
請求項１の発明は、歯科治療ユニットにおけるスピットン装置に着脱自在に装着されるスピットン鉢であって、該スピットン鉢の下部は前記スピットン装置内の排水管と係合して該スピットン鉢に放出された汚液を前記排水管を通して排出させるスピットン鉢において、該スピットン鉢の上部は、前方外周壁と比して後方外周壁が高く形成され、該後方外周壁の上部に洗浄水放水管を挿通するための孔を有することを特徴としたものである。
【０００７】
請求項２の発明は、請求項１の発明において、前記スピットン鉢の上部は内側に折り返されて前記洗浄水放水管から放出された洗浄水が該スピットン鉢から外部に飛散しないように構成されていることを特徴としたものである。
【０００８】
請求項３の発明は、請求項１又は２の発明において、前記スピットン鉢は、前記孔に対向する位置に所定の間隙をもって前記洗浄水放水管から放出される洗浄水を反射するための反射板を有することを特徴としたものである。
【０００９】
請求項４の発明は、請求項３の発明において、前記反射板は、前記洗浄水放水管より放出された洗浄水を上方に向けて反射するよう上下方向に傾斜して配設されていることを特徴としたものである。
【００１０】
請求項５の発明は、請求項３の発明において、前記反射板は、前記洗浄水放水管より放出された洗浄水を上下方向及び左右方向に向けて反射する凸形の傾斜面を有する四角錐であることを特徴としたものである。
【００１１】
請求項６の発明は、請求項３の発明において、前記反射板の表面は、前記洗浄水放水管より放出された洗浄水を全周方向に向けて反射するように凸形の円錐形状に形成されていることを特徴としたものである。
【００１２】
請求項７の発明は、請求項５又は６の発明において、前記反射板の円錐表面には径方向に向う溝が放射状に形成されていることを特徴としたものである。
【発明の効果】
【００１３】
本発明によるスピットン鉢によると、スピットン鉢の後方壁が前方壁より高くなっているので、患者が吐き出したうがい水がスピットン鉢で跳ね返されて、スピットン鉢の外部周辺を汚すのを減少させることができる。特に、麻酔により麻痺した状態での吐出は、患者自身でうがい水をうまく吐き出すことが出来ないため効果的である。
【００１４】
更には、スピットン鉢の上方からスピットン鉢内を洗浄する洗浄水をながすようにしたので、スピットン鉢内全体を効果的に洗浄できる。
【発明を実施するための最良の形態】
【００１５】
図１は、本発明による歯科用スピットン鉢の一実施例を説明するための要部外観構成図、図２は側断面図で、図中、２０は本発明によるスピットン鉢、１０はスピットン装置５の上部基板で、該上部基板１０の上には、スピットン鉢２０が着脱自在に装着できるようになっている。上部基板１０の表面には、該スピットン鉢２０を載置するための穴が設けられており、該穴の下部中心には、スピットン鉢２０が載置された時に、該スピットン鉢２０の底部中央に設けられた排水孔に係合する排水管１１が設けられており、スピットン装置の上部基板１０上にスピットン鉢２０を装着した時に、スピットン鉢２０の底部に設けられた排水口２１がスピットン装置３内に設けられた排水管１１と係合し、患者が吐き出したうがい水は、スピットン鉢２０の底部に設けられた排水穴２１及びスピットン装置５内の排水管１１を通して吸引，排出されるようになっている。
【００１６】
本発明によるスピットン鉢２０は、図１，図２に示すように、前方の縁Ａが低く、後方の縁Ｂが高く形成されており、これにより、患者が吐き出したうがい水（うがい水は、スピットン鉢２０の前方より矢印Ｃ方向に吐き出される）は、後方の壁（縁）部Ｂに当り、スピットン鉢２０の外部へ飛散しないようになっているので、吐き出したうがい水がスピットン鉢２０の外部周辺を汚すようなことはない。
【００１７】
スピットン鉢２０の後部壁面Ｂの上方には、スピットン鉢洗浄水を放出するスピットン鉢洗浄水供給管１２の放水口に係合する穴２２を有し、スピットン鉢２０をスピットン装置の上部基板１０上に配設した時に、該スピットン鉢洗浄水供給管１２とスピットン鉢２０とは水密に係合され、該洗浄水供給管１２から噴射された洗浄水によって、スピットン鉢２０の内表面が洗浄される。
【００１８】
上述のように、本発明によるスピットン鉢２０は、患者が吐き出したうがい水等が跳ね返ってスピットン鉢２０の外部周辺に飛散するのを防止するために、スピットン鉢２０の後部壁Ｂを高く形成したものであるが、更に、この高く形成されている後部壁を利用してスピットン鉢の上方からスピットン鉢洗浄用の水を放出するようにしており、これにより、スピットン鉢内全面をより効果的に洗浄することができるようにしている。
【００１９】
図２は、本発明によるスピットン鉢２０をスピットン基板１０上に載置した時の状態の一例を示す側断面図で、スピットン鉢２０は、スピットン上部基板１０上に配設された時に、その下部に形成されたうがい水排出用の穴２１の外周部がスピットン装置内に設けられた排水管１１と係合し、スピットン鉢２０内に吐き出されたうがい水は、該穴２１及び排水管１１を通して排出される。
【００２０】
また、スピットン鉢２０の後方壁Ｂの上方には、スピットン鉢洗浄水供給管１２の放水口に水密に係合する穴２２が設けられており、該スピットン鉢２０をスピットン装置の上部基板１０に配設した時に、該洗浄水供給管１２の放水口をスピットン鉢２０に設けられた穴２２に水密に係合させる。これにより、スピットン鉢洗浄水供給管１２より放出された洗浄水は、スピットン鉢２０の上方よりスピットン鉢２０内に放出され、スピットン鉢２０内の表面を上方より下方に向けて周方向に流れ、スピットン鉢内表面を略全体にわたって洗浄する。
【００２１】
更に、本発明によるスピットン鉢２０は、前記スピットン鉢洗浄水供給管１２の放水口に対向する位置に、放出された洗浄水を反射する反射板２３が設けられており、これにより、噴射された洗浄水をスピットン鉢２０の内表面側に向けて反射し、スピットン鉢２０の内表面を全面にわたってより効果的に洗浄可能としている。
【００２２】
更には、上記反射板２３は、上下方向に傾斜可能に取り付けられており、例えば、図３に示すように、スピットン鉢の洗浄水供給管１２から噴射された洗浄水が上方に向けて反射されるように傾斜させて設けておく時は、反射板２３に当った洗浄水はスピットン鉢内表面に向って反射され、反射された洗浄水がスピットン鉢２０内表面を上方に流れ（換言すれば、スピットン鉢２０の高い位置まで運ばれ）、そこからスピットン鉢内表面を周方向に廻りながら下方に落ちてくるので、より効果的にスピットン鉢内を洗浄することができる。
【００２３】
上述のように、本発明においては、スピットン鉢洗浄水をスピットン鉢の上部から流すようにしたので、更には、上方に向けて反射して、より高いところからスピットン鉢内に流すようにしたので、洗浄水がスピットン鉢２０の上縁から流れ出してしまう恐れがある。そこで、本発明においては、スピットン鉢２０の上部縁全周にわたって折り返し部２０ａ（２０ａ1，２０ａ2）を設け、これによって、スピットン鉢２０から洗浄水が流れ落ちないようにしている。なお、図２では、上方の折り返し部２０ａ1は下方に向けて折り返され、下方の折り返し部２０ａ2は略水平に折り返されているが、この形状は、洗浄水がスピットン鉢２０からこぼれ落ちない構成であれば、どのような形状であっても構わない。
【００２４】
スピットン鉢２０と洗浄水供給管１２とは水密に接合されており、図３に示した例の場合、スピットン鉢２０の穴２２の外周部に凹部を設け、この凹部の内周壁面にＯリング２４を設け、このＯリング２４によって、洗浄水供給管１２の外周面とスピットン鉢２０の凹部内周面とを水密にしているが、本発明は、図示例に限定されるものではなく、周知の任意所望の構成によって、スピットン鉢２０と洗浄水供給管１２とを水密に連結するようにすることができる。
【００２５】
反射板２３は、図３に示したように、上下方向に傾斜可能に取り付けておき、洗浄水放水管１２から放出された洗浄水を上方に反射するようにしてもよいが、更には、図４に示すように、反射板２３の表面に中央を頂点とする傾斜面を形成しておくと、反射板２３に当った洗浄水は、該傾斜面によって、それぞれの方向へ効果的に反射され、スピットン内表面を全面にわたって効果的に洗浄する。
【００２６】
図４（Ａ）に示した例は（Ａ1は平面図、Ａ2は側面図）、反射板２３の表面を中央を凸にした四角錐面に形成した場合の例を示し、このようにすると、洗浄水供給管１２より放出された洗浄水は、より効果的に四方（上方、左右、及び、下方）に向けて反射される。
また、図４（Ｂ）に示した例は（Ｂ1は平面図、Ｂ2は側面図）、反射板２３の表面を中央を凸にした円錐面に形成した場合の例を示し、このようにすると、洗浄水供給管１２より放出された洗浄水は、略全方向に反射され、より効果的にスピットン鉢内表面を洗浄することができる。
【００２７】
更には、図４（Ａ），図４（Ｂ）に破線で示すように、前記傾斜面に沿って、溝２３ａを設けておくと、所望の方向に、洗浄水を集中して多量に流すことができ、スピットン鉢内表面をより効果的に洗浄することができる。
【図面の簡単な説明】
【００２８】
【図１】本発明によるスピットン鉢の一実施例を説明するための要部概略斜視図である。
【図２】本発明によるスピットン鉢の一実施例を説明するための側断面図である。
【図３】本発明によるスピットン鉢と洗浄水供給管の接続構成の一例を示す図である。
【図４】本発明によるスピットン鉢に使用して好適な洗浄水反射板の例を示す図である。
【図５】本発明が適用されるスピットン鉢を有する歯科治療ユニットの一例を説明するための概略全体構成図である。
【符号の説明】
【００２９】
５…スピットン装置、７…スピットン鉢（従来）、１０…スピットン装置の上部基板、１１…うがい水（汚水）排出管、１２…洗浄水供給管、２０…スピットン鉢（本発明）、２０ａ（２０ａ1，２０ａ2）…折り返し部、２１…スピットン鉢排水口、２２…洗浄水放水口、２３…洗浄水反射板。
【図１】
2007130137.tif 000003
【図２】
2007130137.tif 000004
【図３】
2007130137.tif 000005
【図４】
2007130137.tif 000006
【図５】
2007130137.tif 000007